(57)【要約】      （修正有）【課題】包装用容器の側面部にラベルを別途に貼付しなくても包装用容器の収容物の名称等を側面からでも見ることができる包装用容器を提供する。【解決手段】包装用容器１０の容器本体１２の側面部１８には第１ラベル挟持部２０が設けられている。この第１ラベル挟持部２０の先端には第１ラベル折曲部２２が形成されている。包装用容器１０の蓋体２６の縁部には第２ラベル挟持部２８が形成されている。この第２ラベル挟持部２８の先端には第２ラベル折曲部３０が形成されている。容器本体１２と蓋体２６の間に配設されるラベル３２の一辺には側面対応ラベル部３６が突出して形成されている。従って、前記ラベル３２を容器本体１２の上に配設して蓋体２６で蓋をすると側面対応ラベル部３６は第１ラベル折曲部２２と第２ラベル折曲部３０によって折り曲げられて容器本体１２の側面部１８に対応するようになる。【選択図】図２
0003145467.tif 000002
【実用新案登録請求の範囲】
【請求項１】
容器本体と、この容器本体の開口部を閉じる蓋体と、を備えて成る包装用容器であって、前記容器本体の側面部に形成された第１ラベル挟持部と、この第１ラベル挟持部に形成された第１ラベル折曲部と、前記蓋体に前記第１ラベル挟持部と対応するように形成された第２ラベル挟持部と、この第２ラベル挟持部に前記第１ラベル折曲部と対応するように形成された第２ラベル折曲部と、前記容器本体と蓋体との間に配設されるラベルと、このラベルの少なくとも一辺に突出して形成されると共に前記第１ラベル折曲部と第２ラベル折曲部とによって折り曲げられて前記容器本体の側面部に対応する側面対応ラベル部と、を有してなることを特徴とする包装用容器。
【請求項２】
容器本体と、この容器本体の開口部を閉じる蓋体と、を備えて成る包装用容器であって、前記容器本体の側面部に形成された第１ラベル挟持部と、この第１ラベル挟持部の先端に形成された第１ラベル折曲部と、前記蓋体に前記第１ラベル挟持部と対応するように形成された第２ラベル挟持部と、この第２ラベル挟持部の先端に前記第１ラベル折曲部と対応するように形成された第２ラベル折曲部と、前記容器本体と蓋体との間に配設されると共に縁部が前記第１ラベル挟持部と第２ラベル挟持部に挟持されるラベルと、このラベルの表面に形成された第１印刷部と、前記ラベルの少なくとも一辺に突出して形成されると共に前記第１ラベル折曲部と第２ラベル折曲部とによって折り曲げられて前記容器本体の側面部に対応する側面対応ラベル部と、この側面対応ラベルの表面に形成された第２印刷部と、を有してなることを特徴とする包装用容器。
【請求項３】
容器本体と、この容器本体の開口部を閉じる蓋体と、を備えて成る包装用容器であって、前記容器本体の底面部から立ち上がって形成された側面部と、この側面部に形成された第１ラベル挟持部と、この第１ラベル挟持部の先端に折曲形成された第１ラベル折曲部と、前記蓋体の縁部に前記第１ラベル挟持部と対応するように形成された第２ラベル挟持部と、この第２ラベル挟持部の先端に前記第１ラベル折曲部と対応するように折曲形成された第２ラベル折曲部と、前記容器本体と蓋体との間に配設されると共に縁部が前記第１ラベル挟持部と第２ラベル挟持部に挟持される形状に形成されたラベルと、このラベルの表面に形成された第１印刷部と、前記ラベルの少なくとも一辺に突出して形成されると共に前記第１ラベル折曲部と第２ラベル折曲部とによって折り曲げられて前記容器本体の側面部に対応する側面対応ラベル部と、この側面対応ラベルの表面に形成された第２印刷部と、を有してなることを特徴とする包装用容器。
【考案の詳細な説明】
【技術分野】
【０００１】
本考案は、主に食品等を収容する包装用容器に関し、詳しくは包装用容器に収容する食品等の収容物の名称等を側面からでも見ることができる包装用容器に関する。
【背景技術】
【０００２】
食品を販売する場合は衛生面や保管面等の点からプラスチック等の合成樹脂材で形成された包装用容器に収容して販売することが多い。
このタイプの包装用容器は食品を収容する容器本体と、この容器本体の開口部を塞ぐ蓋体を備えている。また、容器本体と蓋体の間には食品の名称、ブランド、材料、原料原産地名、販売業者、製造業者等が印刷されたシート状のラベルが配設されている。
従って、前記包装用容器を上から見ると前記ラベルが見えるので食品の名称、ブランド、材料、原料原産地名、販売業者、製造業者等を一見して知ることができるようになっている。
しかし、前記ラベルは包装用容器を上から見ると見えるように配設されているので、スーパーマーケットやコンビニ等の商品陳列棚の高い棚に前記包装用容器が置かれると包装用容器に収容されている食品の名称、ブランド、材料、原料原産地名、販売業者、製造業者等が分からない。
そこで、前記包装用容器が商品陳列棚の高い棚に置かれても包装用容器に収容されている食品の名称、ブランド、材料、原料原産地名、販売業者、製造業者等が分かるように包装用容器の側面部に食品の名称、ブランド、材料、原料原産地名、販売業者、製造業者等が記載されたラベルを別途に貼付している。
このため、包装用容器の側面部に貼付するラベルを別途に作成すると共に包装用容器の側面部にラベルを別途に貼付しなければならず、煩雑になるという不具合がある。
【考案の開示】
【考案が解決しようとする課題】
【０００３】
本考案は、上記事実に鑑みなされたものであり包装用容器の側面部にラベルを別途に貼付しなくても包装用容器の収容物の名称、ブランド、材料、原料原産地名、販売業者、製造業者等を側面からでも見ることができる包装用容器を提供するものである。
【課題を解決するための手段】
【０００４】
請求項１の考案は、容器本体と、この容器本体の開口部を閉じる蓋体と、を備えて成る包装用容器であって、前記容器本体の側面部に形成された第１ラベル挟持部と、この第１ラベル挟持部に形成された第１ラベル折曲部と、前記蓋体に前記第１ラベル挟持部と対応するように形成された第２ラベル挟持部と、この第２ラベル挟持部に前記第１ラベル折曲部と対応するように形成された第２ラベル折曲部と、前記容器本体と蓋体との間に配設されるラベルと、このラベルの少なくとも一辺に突出して形成されると共に前記第１ラベル折曲部と第２ラベル折曲部とによって折り曲げられて前記容器本体の側面部に対応する側面対応ラベル部と、を有してなることを特徴としている。
請求項２の考案は、容器本体と、この容器本体の開口部を閉じる蓋体と、を備えて成る包装用容器であって、前記容器本体の側面部に形成された第１ラベル挟持部と、この第１ラベル挟持部の先端に形成された第１ラベル折曲部と、前記蓋体に前記第１ラベル挟持部と対応するように形成された第２ラベル挟持部と、この第２ラベル挟持部の先端に前記第１ラベル折曲部と対応するように形成された第２ラベル折曲部と、前記容器本体と蓋体との間に配設されると共に縁部が前記第１ラベル挟持部と第２ラベル挟持部に挟持されるラベルと、このラベルの表面に形成された第１印刷部と、前記ラベルの少なくとも一辺に突出して形成されると共に前記第１ラベル折曲部と第２ラベル折曲部とによって折り曲げられて前記容器本体の側面部に対応する側面対応ラベル部と、この側面対応ラベルの表面に形成された第２印刷部と、を有してなることを特徴としている。
請求項３の考案は、容器本体と、この容器本体の開口部を閉じる蓋体と、を備えて成る包装用容器であって、前記容器本体の底面部から立ち上がって形成された側面部と、この側面部に形成された第１ラベル挟持部と、この第１ラベル挟持部の先端に折曲形成された第１ラベル折曲部と、前記蓋体の縁部に前記第１ラベル挟持部と対応するように形成された第２ラベル挟持部と、この第２ラベル挟持部の先端に前記第１ラベル折曲部と対応するように折曲形成された第２ラベル折曲部と、前記容器本体と蓋体との間に配設されると共に縁部が前記第１ラベル挟持部と第２ラベル挟持部に挟持される形状に形成されたラベルと、このラベルの表面に形成された第１印刷部と、前記ラベルの少なくとも一辺に突出して形成されると共に前記第１ラベル折曲部と第２ラベル折曲部とによって折り曲げられて前記容器本体の側面部に対応する側面対応ラベル部と、この側面対応ラベルの表面に形成された第２印刷部と、を有してなることを特徴としている。
【考案の効果】
【０００５】
本考案は、包装用容器の側面部にラベルを別途に貼付しなくても包装用容器の収容物の名称、ブランド、材料、原料原産地名、販売業者、製造業者等を側面からでも見ることができるという優れた効果を有する。
また、本考案は、従来の包装用容器のように包装用容器の側面部に食品の名称、ブランド、材料、原料原産地名、販売業者、製造業者等を印刷記載した貼付するラベルを別途に作成したり、当該ラベルを包装用容器の側面部に貼付する必要がないので、包装用容器の製造効率を一段と向上させることができるという優れた効果を有する。
【考案を実施するための最良の形態】
【０００６】
考案を実施するために最良の形態の例として以下のような実施例を示す。
【実施例１】
【０００７】
図１〜図３には本考案に係る包装用容器の一実施例が示されている。
図２に示されるように、包装用容器１０の容器本体１２には食品（図示せず）を収容する収容部１４が形成されている。なお、この実施例では容器本体１２は平面視矩形状に形成されている。
前記容器本体１２の底面部１６には側面部１８が傾斜して立ち上がって設けられている。この側面部１８の頂上には前記底面部１６と水平方向の第１ラベル挟持部２０が設けられている。また、この第１ラベル挟持部２０の先端には第１ラベル折曲部２２が下方に向って折曲形成されている。
前記容器本体１２の上面には開口部２４が形成され、前記収容部１４に食品を収容できるようになっている。
図１に示されるように、この開口部２４は蓋体２６によって閉じられるようになっている。なお、この実施例では蓋体２６は前記容器本体１２と対応するように平面視矩形状に形成されている。
図３に示されるように、この蓋体２６の縁部には前記第１ラベル挟持部２０と対応する第２ラベル挟持部２８が形成されている。また、この第２ラベル挟持部２８の先端には前記第１ラベル折曲部２２と対応する第２ラベル折曲部３０が下方に向って折曲形成されている。
図２に示されるように、前記包装用容器１０の容器本体１２と蓋体２６の間にはラベル３２が配設されるようになっている。このラベル３２は薄い紙やフィルム等でシート状に形成されている。なお、この実施例ではラベル３２は前記容器本体１２及び蓋体２６と対応するように平面視矩形状に形成されると共にラベル３２はその縁部３２Ａが前記第１ラベル挟持部２０、第２ラベル挟持部２８に対応する大きさ、形状に形成されている。
前記ラベル３２の表面には第１印刷部３４が形成されている。この第１印刷部３４には容器本体１２に収容される食品の名称、ブランド、材料、原料原産地名、販売業者、製造業者等が印刷記載されている（図１、図２では食品の名称のみを示す）。
また、前記ラベル３２の一辺には矩形状の側面対応ラベル部３６が突出して連続形成されている。この側面対応ラベル部３６の表面には第２印刷部３８が形成されている。この第２印刷部３８にも前記第１印刷部３４に印刷記載された食品の名称、ブランド、材料、原料原産地名、販売業者、製造業者等が記載されている（図１、図２では名称のみを示す）。
従って、前記ラベル３２を容器本体１２の上に配設して蓋体２６で蓋をすると図１及び図３に示されるように前記側面対応ラベル部３６は前記第１ラベル折曲部２２と第２ラベル折曲部３０によって折り曲げられて容器本体１２の側面部１８に対応するようになる。
【０００８】
実施例の包装用容器１０の作用について説明する。
実施例の包装用容器１０に食品を収容する場合は、容器本体１２の収容部１４に食品を収容し、ラベル３２の縁部３２Ａが前記容器本体１２の第１ラベル挟持部２０に対応するように配設する。
そして、蓋体２６で容器本体１２の蓋をすると前記ラベル３２の側面対応ラベル部３６は前記第１ラベル折曲部２２と第２ラベル折曲部３０によって折り曲げられて容器本体１２の側面部１８に対応する。
従って、前記包装用容器１０をスーパーマーケットやコンビニ等の商品陳列棚の高い棚に置いても包装用容器１０の側面部１８には食品の名称、ブランド、材料、原料原産地名、販売業者、製造業者等が印刷記載された側面対応ラベル部３６が対応する。このため、消費者は前記側面対応ラベル部３６を見ることにより包装用容器１０に収容されている食品の名称、ブランド、材料、原料原産地名、販売業者、製造業者等を容易に知ることができる。
この結果、従来の包装用容器のように包装用容器の側面部に食品の名称、ブランド、材料、原料原産地名、販売業者、製造業者等を印刷記載した貼付するラベルを別途に作成したり、当該ラベルを包装用容器の側面部に貼付する必要がないので、包装用容器の製造効率を一段と向上させることができると共に煩雑さを解消することができる。
また、実施例の包装用容器１０を積み重ねて陳列する場合に前記側面対応ラベル部３６を目印にして前記側面対応ラベル部３６を対応させて積み重ねれば、前記包装用容器１０を積み重ね陳列を容易に統一して行うことができる。
【０００９】
なお、実施例では包装用容器１０に食品を収容する場合を例にして説明したが、包装用容器１０に収容するのは食品に限定されないことは勿論である。
また、実施例では前記ラベル３２の一辺にのみ側面対応ラベル部３６を突出するように形成したが、この側面対応ラベル部３６はラベル３２の２辺、３辺、４辺に形成してもよいことは勿論である。
なお、実施例では平面視矩形状の容器本体１２及び蓋体２６を示したが、容器本体１２及び蓋体２６の形状は平面視矩形状に限定されるものでないことは勿論である。
また、前記ラベル３２及び側面対応ラベル部３６の形状は実施例に示す形状に限定されるものでないことは勿論である。
なお、実施例では第１印刷部３４、第２印刷部３８に食品の名称、ブランド、材料、原料原産地名、販売業者、製造業者等を印刷記載したが、第１印刷部３４、第２印刷部３８に印刷記載されるのは食品の名称、ブランド、材料、原料原産地名、販売業者、製造業者等に限定されるものでないことは勿論である。
【図面の簡単な説明】
【００１０】
【図１】実施例の包装用容器の全体斜視図である。
【図２】実施例の包装用容器の分解斜視図である。
【図３】実施例の包装用容器の縦断面図である。
【符号の説明】
【００１１】
１０    包装用容器
１２    容器本体
１４    収容部
１６    底面部
１８    側面部
２０    第１ラベル挟持部
２２    第１ラベル折曲部
２４    開口部
２６    蓋体
２８    第２ラベル挟持部
３０    第２ラベル折曲部
３２    ラベル
３４    第１印刷部
３６    側面対応ラベル部
３８    第２印刷部
【図１】
0003145467.tif 000003
【図２】
0003145467.tif 000004
【図３】
0003145467.tif 000005